(57)【要約】【課題】  本発明の課題は、液体を計量し注ぐことが出来るとともに、計量のために容器全体を大角度で傾斜させる必要がなく、液体が勢いよく飛び出す心配がなく、経年変化による計量誤差の恐れがなく、出来得る限り単純な形状で、日常の洗浄が簡単に行える、計量機能付液体調味料容器を提供することである。【解決手段】  キャップにより密閉出来る注ぎ口があり、上部に開口を持つ外部容器と、外部容器の上部開口を密閉する機能を持つ、上部に開口があり、下部に流出口および空気口と空気口から上方に十分に長く、その先端が流出口の上方に位置する空気管を持つ内部容器と、内部容器上部開口を密閉するふたから計量機能付液体調味料容器を構成する。【選択図】図１
2012101006.tif 000002
【特許請求の範囲】
【請求項１】
側面に密閉出来る注ぎ口があり、上部に開口を設けた外部容器と、外部容器の上部開口を密閉する機能を持つ、上部に開口があり、下部に流出口および空気口と空気口から上方に十分長く、その先端が流出口の上方に位置する空気管を持つ内部容器と、内部容器上部開口を密閉するふたから構成される計量機能付液体調味料容器。
【発明の詳細な説明】
【技術分野】
【０００１】  本発明は、容器を傾けることで液体の容量を計測する、計量機能付液体調味料容器に関するものである。
【技術背景】
【０００２】  従来の液体調味料容器は、液体を入れる中空の容器の上部に、注ぎ口と空気口の二つの穴を開けて、内部の液体をスムーズに注ぐことが出来る構造になっており、広く一般に使用されている。しかし、液体を注ぐ量は目分量で判断するしかないため、一定の量を注ぐために、容器上部に液体の計量部を取り付けたもの（特許文献１）や、容器内部に一定量の空気を入れ、入れた空気の量に見合う量の液体を取り出すもの（特許文献２）や、容器内部に膜を用いた空気室を設け、膜の伸縮による空気室の容積の変化量に見合う量の液体を取り出すもの（特許文献３）等が考案されている。
【先行技術文献】
【０００３】
【特許文献１】実用新案登録第３１２２１９０号
【特許文献２】特開２００６−５６５９４
【特許文献３】特開平８−３２２６９８
【発明の概要】
【発明が解決しようとする課題】
【０００４】  しかしながら、容器上部に計量部を取り付けたものは、計量のため計量部に一時液体をためることが必要で、内部形状が複雑になりやすく、計量部が容器上部に位置するので、計量のためには容器全体を大角度で傾斜させなければならない。空気を入れる方法は、空気を入れることで容器内が加圧されるので、使い方によっては、液体が勢いよく飛び出す恐れがある。膜を用いた空気室を使う方法では、いつも一定量の液体を取り出すには、経年変化によって膜の伸縮性が変化しないことが必要である。【０００５】  以上から、本発明の課題は、液体を計量し注ぐことが出来るとともに、計量のために容器全体を大角度で傾斜させる必要がなく、液体が勢いよく飛び出す心配がなく、経年変化による計量誤差の恐れがなく、出来得る限り単純な形状で、日常の洗浄が簡単に行える、計量機能付液体調味料容器を提供することである。
【課題を解決するための手段】
【０００６】  上記課題を解決するため本発明は、キャップにより密閉出来る注ぎ口があり、上部に開口を持つ外部容器と、外部容器の上部開口を密閉する機能を持つ、上部に開口があり、下部に流出口および空気口と空気口から上方に十分に長く、その先端が流出口の上方に位置する空気管を持つ内部容器と、内部容器上部開口を密閉するふたから、計量機能付液体調味料容器を構成したものである。
【発明の効果】
【０００７】  本発明には以下の効果がある。
第一の効果は計量である。外部容器内にたまる液体の容積は、水平時には底面積と底面から空気口までの高さで決まる円柱の容積と等しくなり、容器全体を傾けることで外部容器内にたまる液体の容積を変えることが出来るので、空気口を中心に放射状に目盛り線を設けることで任意の容積を計量することが可能である。【０００８】  第二の効果は、計量機能のない一般の調味料入れと同様の感覚で注ぐことが出来る点である。外部容器内の計量済みの液体を外部に注ぎ出すために容器全体を傾けると、空気口が液体の水面上に出て内部容器に空気が入る前に、内部容器内の液体水面が流出口の下に下がっているので新たな流出はなく、また、空気管は十分に長く、先端が流出口の上方に位置するため、常に内部容器内の液体水面の上にあるので、空気口からの流出もない。このため、計量された液体の容積を変えることなく自然な感覚で注ぐことが出来る。【０００９】  第三に本発明には、可動部分や伸縮する部分が一切ないため、経年変化による影響を受けにくく、内部形状も複雑にならないため、分解や洗浄が容易な構造を実現できる。
【図面の簡単な説明】
【００１０】
【図１】本発明の一部を切断して示した斜視図
【図２】本発明の断面図
【図３】本発明の使用例を示す外観図
【図４】本発明の使用例を示す断面図１
【図５】本発明の使用例を示す断面図２
【図６】本発明の使用例を示す断面図３
【発明を実施するための形態】
【００１１】  以下、本発明の実施の形態を説明する。
（イ）外部容器（３）には、キャップ（１）により密閉出来る注ぎ口（２）と、上部に開      口を設ける。
（ロ）内部容器（６）は、外部容器（３）の上部開口を密閉する機能を持ち、上部に開口      があり、下部に流出口（５）および空気口（４）と空気口から上方に十分に長く、      その先端が流出口（５）の上方に位置する空気管（８）を設けるとともに、回転防      止のため外部容器（３）との間に、廻り止め（７）を設ける。
（ハ）内部容器（６）の上部開口は、ふた（９）で密閉する。
以上の構造で、計量機能付液体調味料容器を構成する。
【００１２】  次に、本発明の使用方法について説明する。
まず、外部容器（３）の上部開口部を密閉するため、内部容器（６）をはめ込み、相互に回転しないように、廻り止め（７）で位置決めする。次に、外部容器（３）の注ぎ口（２）をキャップ（１）で密閉した状態で、内部容器（６）に液体調味料を入れる。この時、液体が流出口（５）から外部容器（３）内に滴下するが、外部容器（３）内の水位が上昇して空気口（４）をふさぐと、外部容器（３）からの空気の流出が止まるので、流出口（５）からの滴下も停止する。（図４参照）内部容器（６）の上部開口をふた（９）で閉じて内部容器（６）を密閉すると、内部容器（６）の空気口（４）、流出口（５）ともに液体でふさがれているので、内部容器（６）内に空気が流入できず、注ぎ口（２）のキャップ（１）を開けても外部容器（３）内の液体量は変化しない。このため、水平時には外部容器（３）の底面積と底面から空気口（４）までの高さで決まる容積を計測することが出来る。ここから容器全体を傾斜させると再び空気口（４）が水面の上に出るので、流出口（５）から内部容器（６）の内部液体の滴下が再開され、水位が上昇して再び空気口（４）がふさがれたところで止まる。（図５参照）容器を傾ける角度を変えると外部容器（３）の内部にたまる液体の量も変化するので、図３に示すように、空気口（４）を中心として放射状に小さじ１杯の目盛り線（１０）、小さじ２杯の目盛り線（１１）、大さじ１杯の目盛り線（１２）を設けることで、それぞれの容量を計測することが出来る。
【００１３】  外部容器（３）の内部にたまった計量済みの液体は、容器全体を傾けることにより、注ぎ口（２）から外部へ注ぎ出すことが出来る。この時、注ぎ口（２）側に位置する空気口（４）が外部容器（３）の内部にたまった液体水面の上に出るよりも早く、傾斜の増加につれて移動した、内部容器（６）の内部の液体水面が流出口（５）の位置を下回るので、流出口（５）から新たに滴下する液体で外部容器（３）内の計量済みの液体容量が増加することはない。また、空気口（４）から上方に伸びる空気管（８）は、上方に十分長く、その先端が流出口（５）の上方に位置するため、常に内部容器（６）内部の液体水面の上にあるので、空気口（４）から内部容器（６）内の液体が流出することはない。（図６参照）このように、空気口（４）、流出口（５）、空気管（８）の先端の三つを適切な位置に配置することで計量済みの外部容器（３）の内部の液体量を変化させることなく、計量機能のない一般の調味料入れと同様の感覚で外部へ注ぎ出すことが出来る。
【符号の説明】
【００１４】１キャップ
２注ぎ口
３外部容器
４空気口
５流出口
６内部容器
７廻り止め
８空気管
９ふた
【図１】
2012101006.tif 000003
【図２】
2012101006.tif 000004
【図３】
2012101006.tif 000005
【図４】
2012101006.tif 000006
【図５】
2012101006.tif 000007
【図６】
2012101006.tif 000008